(57)【要約】【課題】転送先携帯電話端末の利用者のプライバシーを侵害することなく、転送先携帯電話端末へ着信を転送する。【解決手段】携帯電話端末２０と接続して携帯電話網５０とは別個の端末側無線通信を行う無線Ｉ／Ｆ部１６を設け、転送制御部１５により、携帯電話網５０からの着信通知に応じて無線Ｉ／Ｆ部１６で接続した携帯電話端末２０へ着信転送要求を通知し、当該転送要求に応じた携帯電話端末２０から着信転送許可が通知された場合、携帯電話端末２０との間で端末側通話路を接続するとともに、通話処理部１４により、携帯電話網５０へ着信応答を通知することにより、電話端末３０との間で網側通話路を接続し、これら網側通話路と端末側通話路とを中継接続する。【選択図】  図１
2011082752.tif 000002
【特許請求の範囲】
【請求項１】
携帯電話網と接続して網側無線通信を行う網インターフェース部と、
当該携帯電話端末の周辺に位置する周辺携帯電話端末を探索し、前記携帯電話網とは別個の端末側無線通信を行う無線インターフェース部と、
前記網インターフェース部で受信した前記携帯電話網からの着信通知に応じて、前記無線インターフェース部で前記周辺携帯電話端末を探索して着信転送要求を通知し、当該着信転送要求に応じて当該周辺携帯電話端末から着信転送許可が通知された場合、前記無線インターフェース部により当該周辺携帯電話端末との間で端末側通話路を接続する転送制御部と、
前記着信転送許可の通知に応じて、前記網インターフェース部から前記携帯電話網へ着信応答を通知することにより、発信側電話端末との音声通話のための網側通話路を前記携帯電話網との間で接続し、当該網側通話路と前記端末側通話路とを中継接続することにより、当該携帯電話端末を介した前記発信側電話端末と前記周辺携帯電話端末との間の音声通話を実現する通話制御部と
を備えることを特徴とする携帯電話端末。
【請求項２】
請求項１に記載の携帯電話端末において、
前記転送制御部は、前記周辺携帯電話端末から前記着信転送許可が通知される前に、当該携帯電話端末で応答操作が行われた場合、前記無線インターフェース部を介して前記周辺携帯電話端末へ着信転送中止を通知し、
前記通話制御部は、前記応答操作に応じて、前記網インターフェース部を介して前記携帯電話網へ着信応答を通知することにより、前記発信側電話端末との音声通話のための網側通話路を前記携帯電話網との間で接続する
ことを特徴とする携帯電話端末。
【請求項３】
請求項１に記載の携帯電話端末において、
前記転送制御部は、前記携帯電話網との間で網側通話路を接続して当該携帯電話端末と相手電話端末との間で音声通話を行っている際に、当該携帯電話端末で通話転送要求操作が行われた場合、前記無線インターフェース部で前記周辺携帯電話端末を探索して通話転送要求を通知し、当該通話転送要求に応じて当該周辺携帯電話端末から通話転送許可が通知された場合、前記無線インターフェース部により当該周辺携帯電話端末との間で前記端末側通話路を接続し、
前記通話処理部は、前記網側通話路と当該端末側通話路とを中継接続することにより、当該携帯電話端末を介した前記電話端末と前記周辺携帯電話端末との間の音声通話を実現する
ことを特徴とする携帯電話端末。
【請求項４】
携帯電話網と接続して網側無線通信を行う網インターフェース部と、当該携帯電話端末の周辺に位置する周辺携帯電話端末を探索し、前記携帯電話網とは別個の端末側無線通信を行う無線インターフェース部とを含む携帯電話端末で用いられる転送制御方法であって、
前記網インターフェース部で受信した前記携帯電話網からの着信通知に応じて、前記無線インターフェース部により前記周辺携帯電話端末を探索して着信転送要求を通知し、当該着信転送要求に応じて当該周辺携帯電話端末から着信転送許可が通知された場合、前記無線インターフェース部により当該周辺携帯電話端末との間で端末側通話路を接続する転送制御ステップと、
前記着信転送許可の通知に応じて、前記網インターフェース部から前記携帯電話網へ着信応答を通知することにより、発信側電話端末との音声通話のための網側通話路を前記携帯電話網との間で接続し、当該網側通話路と前記端末側通話路とを中継接続することにより、当該携帯電話端末を介した前記発信側電話端末と前記周辺携帯電話端末との間の音声通話を実現する通話制御ステップと
を備えることを特徴とする転送制御方法。
【請求項５】
請求項４に記載の転送制御方法において、
前記転送制御ステップは、前記周辺携帯電話端末から前記着信転送許可が通知される前に、当該携帯電話端末で応答操作が行われた場合、前記無線インターフェース部を介して前記周辺携帯電話端末へ着信転送中止を通知するステップを含み、
前記通話制御ステップは、前記応答操作に応じて、前記網インターフェース部を介して前記携帯電話網へ着信応答を通知することにより、前記発信側電話端末との音声通話のための網側通話路を前記携帯電話網との間で接続するステップを含む
ことを特徴とする転送制御方法。
【請求項６】
請求項４に記載の転送制御方法において、
前記転送制御ステップは、前記携帯電話網との間で網側通話路を接続して当該携帯電話端末と相手電話端末との間で音声通話を行っている際に、当該携帯電話端末で通話転送要求操作が行われた場合、前記無線インターフェース部で前記周辺携帯電話端末を探索して通話転送要求を通知し、当該通話転送要求に応じて当該周辺携帯電話端末から通話転送許可が通知された場合、前記無線インターフェース部により当該周辺携帯電話端末との間で前記端末側通話路を接続するステップを含み、
前記通話処理ステップは、前記網側通話路と当該端末側通話路とを中継接続することにより、当該携帯電話端末を介した前記電話端末と前記周辺携帯電話端末との間の音声通話を実現するステップを含む
ことを特徴とする転送制御方法。
【発明の詳細な説明】
【技術分野】
【０００１】
本発明は、携帯電話技術に関し、特に網からの着信を周辺携帯電話端末へ転送する着信転送技術に関する。
【背景技術】
【０００２】
一般に、携帯電話端末では、網からの着信を他の電話端末へ転送する着信転送サービスが提供されている。このような着信転送サービスでは、予め転送先電話番号を網側へ登録しておくとともに、携帯電話端末を着信転送モードに設定しておく必要がある。このため、着信転送モードに設定していない状態で着信があり、そのときたまたま着信に応答できない場合、着信転送は行われないため、その着信に応答することができなくなる。
【０００３】
従来、このような着信不応答に対応するため、着信携帯電話端末で応答操作が行われない場合、予め当該着信携帯電話端末に登録しておいた転送先携帯電話端末への着信転送を網側へ通知して、網側で着信転送を行う技術が提案されている（例えば、特許文献１など参照）。
【先行技術文献】
【特許文献】
【０００４】
【特許文献１】特開２００９−０１０８５０号公報
【発明の概要】
【発明が解決しようとする課題】
【０００５】
しかしながら、このような従来技術では、着信携帯電話端末から転送先携帯電話端末へ着信転送する際、網側で着信転送を行うため、転送先携帯電話端末の電話番号が公開されてしまい、転送先携帯電話端末の利用者のプライバシーを侵害してしまうという問題点があった。
すなわち、網側で着信転送を行うためには、当該転送先携帯電話端末の電話番号を、着信携帯電話端末の利用者に教える必要がある。また、当該転送先携帯電話端末の電話番号が、通話相手として網側から発信側電話端末に通知されることになり、転送先携帯電話端末の利用者に関する個人情報が不用意に公開されてしまう。
【０００６】
本発明はこのような課題を解決するためのものであり、転送先携帯電話端末の利用者のプライバシーを侵害することなく、転送先携帯電話端末へ着信を転送できる着信転送技術を提供することを目的としている。
【課題を解決するための手段】
【０００７】
このような目的を達成するために、本発明にかかる携帯電話端末は、携帯電話網と接続して網側無線通信を行う網インターフェース部と、当該携帯電話端末の周辺に位置する周辺携帯電話端末を探索し、携帯電話網とは別個の端末側無線通信を行う無線インターフェース部と、網インターフェース部で受信した携帯電話網からの着信通知に応じて、無線インターフェース部で周辺携帯電話端末を探索して着信転送要求を通知し、当該着信転送要求に応じて当該周辺携帯電話端末から着信転送許可が通知された場合、無線インターフェース部により当該周辺携帯電話端末との間で端末側通話路を接続する転送制御部と、着信転送許可の通知に応じて、網インターフェース部から携帯電話網へ着信応答を通知することにより、発信側電話端末との音声通話のための網側通話路を携帯電話網との間で接続し、当該網側通話路と端末側通話路とを中継接続することにより、当該携帯電話端末を介した発信側電話端末と周辺携帯電話端末との間の音声通話を実現する通話制御部とを備えている。
【０００８】
また、本発明にかかる転送制御方法は、携帯電話網と接続して網側無線通信を行う網インターフェース部と、当該携帯電話端末の周辺に位置する周辺携帯電話端末を探索し、携帯電話網とは別個の端末側無線通信を行う無線インターフェース部とを含む携帯電話端末で用いられる転送制御方法であって、網インターフェース部で受信した携帯電話網からの着信通知に応じて、無線インターフェース部により周辺携帯電話端末を探索して着信転送要求を通知し、当該着信転送要求に応じて当該周辺携帯電話端末から着信転送許可が通知された場合、無線インターフェース部により当該周辺携帯電話端末との間で端末側通話路を接続する転送制御ステップと、着信転送許可の通知に応じて、網インターフェース部から携帯電話網へ着信応答を通知することにより、発信側電話端末との音声通話のための網側通話路を携帯電話網との間で接続し、当該網側通話路と端末側通話路とを中継接続することにより、当該携帯電話端末を介した発信側電話端末と周辺携帯電話端末との間の音声通話を実現する通話制御ステップとを備えている。
【発明の効果】
【０００９】
本発明によれば、携帯電話網を用いることなく、発信側電話端末からの着信を周辺携帯電話端末へ転送することができる。このため、着信転送先となる携帯電話端末の電話番号を、携帯電話端末から携帯電話網へ通知する必要がなくなり、結果として、携帯電話端末の電話番号を携帯電話端末の利用者に教える必要がなくなる。
また、携帯電話網で着信転送をしていないことから、発信側電話端末には通話相手として携帯電話端末の電話番号が通知されることになり、転送先携帯電話端末の電話番号が発信側電話端末へ不用意に通知されることはない。
したがって、着信転送先となる携帯電話端末の利用者に関する個人情報の公開を回避でき、転送先携帯電話端末の利用者のプライバシーを侵害することなく、転送先携帯電話端末へ着信を転送することが可能となる。
【図面の簡単な説明】
【００１０】
【図１】第１の実施形態にかかる携帯電話端末の構成を示すブロック図である。
【図２】第１の実施形態にかかる携帯電話端末の着信転送動作を示すシーケンス図である。
【図３】第２の実施形態にかかる携帯電話端末の着信動作を示すシーケンス図である。
【図４】第３の実施形態にかかる携帯電話端末の通話転送動作を示すシーケンス図である。
【発明を実施するための形態】
【００１１】
次に、本発明の実施形態について図面を参照して説明する。
［第１の実施形態］
まず、図１を参照して、本発明の第１の実施形態にかかる携帯電話端末について説明する。図１は、第１の実施形態にかかる携帯電話端末の構成を示すブロック図である。
【００１２】
この携帯電話端末１０は、携帯電話網５０と接続して網側無線通信を行うことにより、携帯電話網５０を介して携帯電話端末２０や電話端末３０と音声通話を行う機能を有している。
【００１３】
本実施形態は、携帯電話端末１０に、当該携帯電話端末１０の周辺に位置する携帯電話端末（周辺携帯電話端末）２０を探索し、携帯電話網５０とは別個の端末側無線通信を行う無線インターフェース部を設け、携帯電話網５０からの着信通知に応じて無線インターフェース部で携帯電話端末２０を探索して着信転送要求を通知し、当該転送要求に応じて携帯電話端末２０から着信転送許可が通知された場合、携帯電話端末２０との間で端末側通話路を接続するとともに、携帯電話網５０へ着信応答を通知することにより、電話端末３０（発信側電話端末）との音声通話のための網側通話路を携帯電話網５０との間で接続し、これら網側通話路と端末側通話路とを中継接続することにより、携帯電話端末１０を介した電話端末３０と携帯電話端末２０との間の音声通話を実現するようにしたものである。
【００１４】
次に、図１を参照して、本実施形態にかかる携帯電話端末１０の構成について詳細に説明する。
携帯電話端末１０には、主な機能部として、網インターフェース部（以下、網Ｉ／Ｆ部という）１１、操作入力部１２、画面表示部１３、通話処理部１４、転送制御部１５、および無線インターフェース部（以下、無線Ｉ／Ｆという）１６が設けられている。
【００１５】
網Ｉ／Ｆ部１１は、専用の無線通信回路からなり、無線電波を送受信することにより携帯電話網５０と接続して無線通信（網側無線通信）を行う機能を有している。
操作入力部１２は、ダイヤルキーやカーソルキーのほか、発信・応答キー、終話キー、着信転送要求キー、通話転送要求キーなどの各種機能キーからなり、利用者の操作を検出する機能を有している。
画面表示部１３は、ＬＣＤなどの画面表示装置からなり、着信表示や操作メニューなどの各種情報を画面表示する機能を有している。
【００１６】
通話処理部１４は、網Ｉ／Ｆ部１１を介して携帯電話網５０と呼制御メッセージをやり取りすることにより、携帯電話網５０を介して接続された、携帯電話端末２０や電話端末３０などの相手電話端末との音声通話を制御する機能を有している。特に、着信処理機能としては、網Ｉ／Ｆ部１１で受信した携帯電話網５０からの着信通知に応じて、画面表示部１３で着信表示を行う機能と、着信表示中に操作入力部１２で検出された応答操作に応じて網Ｉ／Ｆ部１１を介して携帯電話網５０へ着信応答を通知することにより、発信側の電話端末３０との音声通話のための網側通話路を携帯電話網５０との間で接続する機能とを有している。
【００１７】
また、通話処理部１４は、中継接続機能として、着信に対する応答操作より先に転送制御部１５で携帯電話端末２０から着信転送許可を受信した場合、網Ｉ／Ｆ部１１を介して携帯電話網５０へ着信応答を通知することにより、電話端末３０との音声通話のための網側通話路を携帯電話網５０との間で接続する機能と、当該網側通話路と端末側通話路とを中継接続することにより、当該携帯電話端末１０を介した電話端末３０と携帯電話端末２０との間の音声通話を実現する機能とを有している。
【００１８】
転送制御部１５は、網Ｉ／Ｆ部１１で受信した携帯電話網５０からの着信通知に応じて、無線Ｉ／Ｆ部１６で携帯電話端末２０を探索して着信転送要求を通知する機能と、当該着信転送要求に応じて当該携帯電話端末２０から着信転送許可が通知された場合、無線Ｉ／Ｆ部１６により当該携帯電話端末２０との間で端末側通話路を接続する機能とを有している。
【００１９】
無線Ｉ／Ｆ部１６は、専用の無線インターフェース回路からなり、携帯電話端末１０周辺に位置して、携帯電話端末１０と無線通信可能な周辺携帯電話端末２０を探索し、携帯電話網５０との間の網側無線通信とは別個の端末側無線通信を行う機能を有している。端末側無線通信としては、無線ＬＡＮやブルートゥース（登録商標）などの近距離無線通信方式を用いればよい。この種の近距離無線通信方式では、端末側無線通信可能な任意の無線端末を探索する機能が利用できる。したがって、例えば着信時に、携帯電話端末１０が携帯電話端末２０と端末側無線通信を開始する場合、無線Ｉ／Ｆ部１６で、このような探索機能を用いて、携帯電話端末１０周辺に位置する携帯電話端末２０を探索して接続すればよい。
【００２０】
携帯電話端末２０は、携帯電話端末１０の周辺に位置する周辺携帯電話端末であって、携帯電話網５０と接続して携帯電話端末１０や電話端末３０などの相手電話端末と音声通話を行う機能を有している。
この携帯電話端末２０には、携帯電話端末１０における網Ｉ／Ｆ部１１、操作入力部１２、画面表示部１３、通話処理部１４、転送制御部１５、および無線Ｉ／Ｆ部１６に相当する機能部として、網Ｉ／Ｆ部２１、操作入力部２２、画面表示部２３、通話処理部２４、転送制御部２５、および無線Ｉ／Ｆ部２６が設けられている。
【００２１】
本発明では、理解を容易とするため、携帯電話端末１０と携帯電話端末２０とが同様の構成を有しているものとして説明するが、少なくとも無線Ｉ／Ｆ部１６と同等の無線インターフェース部を用いて、携帯電話端末１０と端末側無線通信を行う機能と、この無線インターフェース部を用いて、携帯電話端末１０との間で端末側通話路を接続して音声通話を行う機能とを有していればよい。
また、電話端末３０については、携帯電話網５０に直接接続できる一般的な携帯電話端末や、他の電話網を介して携帯電話網５０にゲートウェイ接続できる一般的な電話端末であればよい。
【００２２】
［第１の実施形態の動作］
次に、図２を参照して、本実施形態にかかる携帯電話端末の動作について説明する。図２は、第１の実施形態にかかる携帯電話端末の着信転送動作を示すシーケンス図である。ここでは、電話端末３０からの着信に応じて、携帯電話端末１０と携帯電話端末２０との間で端末側通話路を接続し、網側通話路と端末側通話路とを携帯電話端末１０で中継接続することにより、当該携帯電話端末１０を介した電話端末３０と携帯電話端末２０との間の音声通話を実現する場合を例に説明する。
【００２３】
発信側となる電話端末３０からの発信要求に応じて、携帯電話網５０から携帯電話端末１０に対して着信が通知される（ステップ１００）。
携帯電話端末１０において、通話処理部１４は、網Ｉ／Ｆ部１１により携帯電話網５０からの着信通知に応じて、画面表示部１３で着信表示を行う（ステップ１０１）。
また、転送制御部１５は、当該着信通知に応じて無線Ｉ／Ｆ部１６で、携帯電話端末１０の周辺に位置して、携帯電話端末１０と端末側無線通信可能な携帯電話端末２０を探索し、この携帯電話端末２０へ着信転送要求を通知する（ステップ１０２）。
【００２４】
携帯電話端末２０の転送制御部２５は、無線Ｉ／Ｆ部２６で携帯電話端末１０と端末側無線通信を開始した後、着信転送要求が通知された場合、画面表示部２３により転送許可確認画面を表示して、携帯電話端末１０からの着信転送の許可／拒否を利用者に問い合わせる（ステップ１０３）。
これに応じて利用者による着信転送許可操作を操作入力部２２で検出した場合（ステップ１０４）、転送制御部２５は、無線Ｉ／Ｆ部２６を介して携帯電話端末１０へ着信転送許可を通知する（ステップ１０５）。
【００２５】
携帯電話端末１０の通話処理部１４は、無線Ｉ／Ｆ部１６を介して携帯電話端末２０から通知された着信転送許可に応じて、画面表示部１３での着信表示を停止し（ステップ１０６）、転送制御部１５は、携帯電話端末２０から通知された当該着信転送許可に応じて、無線Ｉ／Ｆ部１６により携帯電話端末２０との間で端末側通話路を接続する（ステップ１０７）。
【００２６】
また、通話処理部１４は、携帯電話端末２０から通知された当該着信転送許可に応じて、網Ｉ／Ｆ部１１を介して携帯電話網５０へ着信応答を通知することにより（ステップ１１０）、電話端末３０との音声通話のための網側通話路を携帯電話網５０との間で接続し（ステップ１１１）、当該網側通話路と端末側通話路とを中継接続する（ステップ１１２）。これにより、当該携帯電話端末１０を介した電話端末３０と携帯電話端末２０との間の音声通話が開始される（ステップ１１３）。
【００２７】
［第１の実施形態の効果］
このように、本実施形態は、携帯電話端末１０の周辺に位置する携帯電話端末２０を探索し、携帯電話網５０とは別個の端末側無線通信を行う無線Ｉ／Ｆ部１６を設け、転送制御部１５により、携帯電話網５０からの着信通知に応じて無線Ｉ／Ｆ部１６で携帯電話端末２０を探索して着信転送要求を通知し、当該転送要求に応じた携帯電話端末２０から着信転送許可が通知された場合、携帯電話端末２０との間で端末側通話路を接続するとともに、通話処理部１４により、携帯電話網５０へ着信応答を通知することにより、発信側の電話端末３０との音声通話のための網側通話路を携帯電話網５０との間で接続し、これら網側通話路と端末側通話路とを中継接続することにより、携帯電話端末１０を介した電話端末３０と携帯電話端末２０との間の音声通話を実現している。
【００２８】
これにより、携帯電話網５０を用いることなく、電話端末３０からの着信を携帯電話端末２０へ転送することができる。このため、着信転送先となる携帯電話端末２０の電話番号を、携帯電話端末１０から携帯電話網５０へ通知する必要がなくなり、結果として、携帯電話端末２０の電話番号を携帯電話端末１０の利用者に教える必要がなくなる。
また、携帯電話網５０で着信転送をしていないことから、発信側電話端末３０には通話相手として携帯電話端末１０の電話番号が通知されることになり、携帯電話端末２０の電話番号が発信側電話端末３０へ不用意に通知されることはない。
したがって、本実施形態によれば、着信転送先となる携帯電話端末の利用者に関する個人情報の公開を回避でき、転送先携帯電話端末の利用者のプライバシーを侵害することなく、転送先携帯電話端末へ着信を転送することが可能となる。
【００２９】
［第２の実施形態］
次に、図３を参照して、本発明の第２の実施形態にかかる携帯電話端末について説明する。図３は、第２の実施形態にかかる携帯電話端末の着信動作を示すシーケンス図であり、図２と同じまたは同等部分には同一符号を付してある。
本実施形態では、携帯電話端末１０から携帯電話端末２０へ着信転送要求を通知した後、携帯電話端末１０で応答操作があった場合について説明する。
【００３０】
本実施形態において、携帯電話端末１０の転送制御部１５は、着信転送要求を通知した携帯電話端末２０から着信転送許可が通知される前に、操作入力部１２で当該着信への応答操作が検出された場合、無線Ｉ／Ｆ部１６を介して携帯電話端末２０へ着信転送中止を通知する機能を有している。
また、通話制御部１４は、上記応答操作に応じて、網Ｉ／Ｆ部１１を介して携帯電話網５０へ着信応答を通知することにより、発信側の電話端末３０との音声通話のための網側通話路を携帯電話網５０との間で接続することにより、携帯電話端末１０と電話端末３０との間の音声通話を実現する機能を有している。
なお、本実施形態にかかる携帯電話端末１０のこの他の構成については、第１の実施形態と同様であり、ここでの詳細な説明は省略する。
【００３１】
［第２の実施形態の動作］
次に、図３を参照して、本実施形態にかかる携帯電話端末の動作について説明する。
発信側となる電話端末３０からの発信要求に応じて、携帯電話網５０から携帯電話端末１０に対して着信が通知される（ステップ１００）。
携帯電話端末１０において、通話処理部１４は、網Ｉ／Ｆ部１１により携帯電話網５０からの着信通知に応じて、画面表示部１３で着信表示を行う（ステップ１０１）。
また、転送制御部１５は、当該着信通知に応じて無線Ｉ／Ｆ部１６で、携帯電話端末１０の周辺に位置して、携帯電話端末１０と端末側無線通信可能な携帯電話端末２０を探索し、この携帯電話端末２０へ着信転送要求を通知する（ステップ１０２）。
【００３２】
携帯電話端末２０の転送制御部２５は、無線Ｉ／Ｆ部２６で携帯電話端末１０と端末側無線通信を開始した後、着信転送要求が通知された場合、画面表示部２３により転送許可確認画面を表示して、携帯電話端末１０からの着信転送の許可／拒否を利用者に問い合わせる（ステップ１０３）。
【００３３】
携帯電話端末１０の通話処理部１４は、着信転送要求を通知した携帯電話端末２０から着信転送許可が通知される前に、操作入力部１２で当該着信への応答操作が検出された場合（ステップ２００）、画面表示部１３での着信表示を停止し（ステップ２０１）、無線Ｉ／Ｆ部１６を介して携帯電話端末２０へ着信転送中止を通知する（ステップ２０２）。
これに応じて、携帯電話端末２０の転送制御部２５は、無線Ｉ／Ｆ部２６で携帯電話端末１０から着信転送中止を受信した場合、画面表示部２３での着信転送中止画面を表示する（ステップ２０３）。
【００３４】
また、携帯電話端末１０の通話処理部１４は、当該応答操作に応じて、網Ｉ／Ｆ部１１を介して携帯電話網５０へ着信応答を通知することにより（ステップ２１０）、携帯電話網５０との間で網側通話路を接続する（ステップ２１１）。これにより、携帯電話端末１０と電話端末３０との間の音声通話が開始される（ステップ２１２）。
【００３５】
［第２の実施形態の効果］
このように、転送制御部１５において、着信転送要求を通知した携帯電話端末２０から着信転送許可が通知される前に、携帯電話端末１０で応答操作が行われた場合、無線Ｉ／Ｆ部１６を介して携帯電話端末２０へ着信転送中止を通知するとともに、携帯電話網５０へ着信応答を通知するようにしたので、携帯電話端末１０の利用者が着信に応答可能な場合には、携帯電話端末１０での応答操作に応じて着信転送を中止して、携帯電話端末１０により当該着信に応答することができる。
【００３６】
［第３の実施形態］
次に、図４を参照して、本発明の第３の実施形態にかかる携帯電話端末について説明する。図４は、第３の実施形態にかかる携帯電話端末の通話転送動作を示すシーケンス図である。
本実施形態では、電話端末３０などの相手電話端末へ携帯電話端末１０から発信して通話を開始した後、あるいは第２の実施形態のように携帯電話端末１０で着信応答して電話端末３０と通話を開始した後、当該通話を携帯電話端末２０へ通話転送する場合について説明する。
【００３７】
本実施形態において、携帯電話端末１０の転送制御部１５は、携帯電話網５０との間で網側通話路を接続して当該携帯電話端末１０で電話端末３０などの相手電話端末と音声通話を行っている際に、操作入力部１２で通話転送要求操作が検出された場合、無線Ｉ／Ｆ部１６で携帯電話端末２０を探索して通話転送要求を通知する機能と、当該通話転送要求に応じて携帯電話端末２０からの通話転送許可が通知された場合、無線Ｉ／Ｆ部１６により携帯電話端末２０との間で端末側通話路を接続する機能とを有している。
【００３８】
また、通話処理部１４は、通話転送要求に応じて携帯電話端末２０から通話転送許可が通知された場合、網側通話路と端末側通話路とを中継接続することにより、当該携帯電話端末１０を介した電話端末３０と携帯電話端末２０との間の音声通話を実現する機能とを有している。
なお、本実施形態にかかる携帯電話端末１０のこの他の構成については、第１の実施形態と同様であり、ここでの詳細な説明は省略する。
【００３９】
［第３の実施形態の動作］
次に、図４を参照して、本実施形態にかかる携帯電話端末の動作について説明する。
携帯電話端末１０が、電話端末３０と音声通話を行っている際に（ステップ３００）、操作入力部１２により通話転送要求操作が検出された場合（ステップ３０１）、転送制御部１５は、無線Ｉ／Ｆ部１６で、携帯電話端末１０の周辺に位置して、携帯電話端末１０と端末側無線通信可能な携帯電話端末２０を探索し、この携帯電話端末２０へ通話転送要求を通知する（ステップ３０２）。
【００４０】
携帯電話端末２０の転送制御部２５は、無線Ｉ／Ｆ部２６で携帯電話端末１０と端末側無線通信を開始した後、通話転送要求が通知された場合、画面表示部２３により転送許可確認画面を表示して、携帯電話端末１０からの通話転送の許可／拒否を利用者に問い合わせる（ステップ３０３）。
これに応じて利用者による通話転送許可操作を操作入力部２２で検出した場合（ステップ３０４）、転送制御部２５は、無線Ｉ／Ｆ部２６を介して携帯電話端末１０へ通話転送許可を通知する（ステップ３０５）。
【００４１】
携帯電話端末１０の転送制御部１５は、無線Ｉ／Ｆ部１６を介して携帯電話端末２０から通知された通話転送許可に応じて、無線Ｉ／Ｆ部１６により携帯電話端末２０との間で端末側通話路を接続する（ステップ３０６）。
この後、通話処理部１４は、電話端末３０の網側通話路と端末側通話路とを中継接続する（ステップ３１０）。これにより、当該携帯電話端末１０を介した電話端末３０と携帯電話端末２０との間の音声通話が開始される（ステップ３１１）。
【００４２】
［第３の実施形態の効果］
このように、本実施形態では、携帯電話網５０との間で網側通話路を接続して携帯電話端末１０が電話端末３０と音声通話を行っている際に、携帯電話端末１０で通話転送要求操作が行われた場合、転送制御部１５により、無線Ｉ／Ｆ部１６で携帯電話端末２０を探索して通話転送要求を通知し、当該通話転送要求に応じて携帯電話端末２０から通話転送許可が通知された場合、無線Ｉ／Ｆ部１６により携帯電話端末２０との間で端末側通話路を接続し、通話処理部１４で、網側通話路と端末側通話路とを中継接続することにより、当該携帯電話端末を介した電話端末と周辺携帯電話端末との間の音声通話を実現している。
【００４３】
これにより、着信時、携帯電話端末１０で応答する前に携帯電話端末２０へ着信を転送するだけでなく、通話が開始された後でも、その通話を携帯電話端末２０へ転送することができる。
また、通話転送の際、携帯電話網５０を用いることなく、電話端末３０との通話を携帯電話端末２０へ転送することができる。このため、着信転送時と同様に、通話転送先となる携帯電話端末の利用者に関する個人情報の公開を回避でき、転送先携帯電話端末の利用者のプライバシーを侵害することなく、転送先携帯電話端末へ通話を転送することが可能となる。
【００４４】
［実施形態の拡張］
以上、実施形態を参照して本発明を説明したが、本発明は上記実施形態に限定されるものではない。本発明の構成や詳細には、本発明のスコープ内で当業者が理解しうる様々な変更をすることができる。
【００４５】
また、各実施形態では、着信転送動作や通話転送動作について説明したが、これら動作により実現された音声通話を終了する場合には、次のような動作を実行すればよい。
すなわち携帯電話端末２０での終話操作に応じて携帯電話端末２０から通知された切断指示を無線Ｉ／Ｆ部１６で受信した場合や、携帯電話端末２０との間の端末側通話路や端末側無線通信の切断を無線Ｉ／Ｆ部１６で確認した場合、あるいは電話端末３０での終話操作に応じて携帯電話網５０から通知された切断指示を網Ｉ／Ｆ部１１で受信した場合、通話処理部１４は、これら網側通話路と端末側通話路との中継接続を終了するとともに、これら網側通話路と端末側通話路とを切断する。
【００４６】
また、携帯電話端末２０での終話操作に応じて携帯電話端末２０から通知された切断指示を無線Ｉ／Ｆ部１６で受信した場合や、携帯電話端末２０との間の端末側通話路や端末側無線通信の切断を無線Ｉ／Ｆ部１６で確認した場合、さらには操作入力部１２で通話復帰操作が行われた場合には、通話処理部１４で、これら網側通話路と端末側通話路との中継接続を終了するとともに、端末側通話路のみを切断し、網側通話路を維持することにより、携帯電話端末１０と電話端末３０との音声通話を再度実現するようにしてもよい。これにより、携帯電話端末１０の利用者が通話可能な状態となった場合、電話端末３０との通話を開始することができる。
【符号の説明】
【００４７】
１０，２０…携帯電話端末、１１，２１…網Ｉ／Ｆ部、１２，２２…操作入力部、１３，２３…画面表示部、１４，２４…通話処理部、１５，２５…転送制御部、１６，２６…無線Ｉ／Ｆ部、３０…電話端末、５０…携帯電話網。
【図１】
2011082752.tif 000003
【図２】
2011082752.tif 000004
【図３】
2011082752.tif 000005
【図４】
2011082752.tif 000006